(57)【要約】【課題】制御装置に撮影画像を取り込む際に、撮影装置から受信した撮影画像ごとに対応付ける検査情報を生成すること。【解決手段】放射線撮影システムは、照射された放射線を検出し、蓄積された電気信号に基づいて撮影画像を生成する撮影部と、撮影画像を記憶する記憶部とを有する撮影装置と、撮影装置と通信可能な制御装置とを有する。制御装置は、撮影画像ごとに対応付ける検査情報を生成する生成部を備える。【選択図】  図１
2017140194.tif 000002
【特許請求の範囲】
【請求項１】
照射された放射線を検出し、蓄積された電気信号に基づいて撮影画像を生成する撮影手段と、前記撮影画像を記憶する記憶手段とを有する撮影装置と、前記撮影装置と通信可能な制御装置とを有する放射線撮影システムであって、前記制御装置は、  前記撮影画像ごとに対応付ける検査情報を生成する生成手段を備えることを特徴とする放射線撮影システム。
【請求項２】
前記生成手段は、前記検査情報に含まれる撮影条件として、撮影部位を特定するための撮影部位情報を、前記撮影画像ごとに対応付ける検査情報を生成することを特徴とする請求項１に記載の放射線撮影システム。
【請求項３】
前記生成手段は、予め設定された特定の部位を前記撮影部位情報として、前記検査情報を生成することを特徴する請求項２に記載の放射線撮影システム。
【請求項４】
前記生成手段は、撮影頻度に基づいて予め設定された部位を前記撮影部位情報として、前記検査情報を生成することを特徴する請求項２に記載の放射線撮影システム。
【請求項５】
前記生成手段は、予め設定された暫定部位情報を前記撮影部位情報として、前記検査情報を生成することを特徴する請求項２に記載の放射線撮影システム。
【請求項６】
前記生成手段は、前記撮影部位情報を一律の情報として前記検査情報を生成することを特徴とする請求項３乃至５のいずれか１項に記載の放射線撮影システム。
【請求項７】
前記制御装置は、
前記撮影部位情報ごとに代替部位情報を対応付ける代替部位リストを記憶する記憶手段と、
前記代替部位リストに基づいて、指定された撮影部位情報を前記代替部位情報に変更する変更手段と、
を更に備え、
変更対象の撮影部位情報が指定された場合、前記変更手段は、前記代替部位リストに基づいて、前記変更対象の撮影部位情報を、前記撮影部位情報に対応付けられている代替部位情報に変更する
ことを特徴とする請求項２乃至６のいずれか１項に記載の放射線撮影システム。
【請求項８】
前記代替部位リストには、一つの撮影部位情報に対して、撮影頻度に基づく複数の代替部位情報が対応付けられていることを特徴とする請求項７に記載の放射線撮影システム。
【請求項９】
前記制御装置は、
複数の代替部位情報のうちから一つの代替部位情報を指定する指定手段を更に備え、
前記変更手段は、前記指定された代替部位情報に基づいて、前記撮影部位情報を変更することを特徴とする請求項８に記載の放射線撮影システム。
【請求項１０】
前記制御装置は、複数の検査情報の中から変更対象の検査情報を操作入力に基づいて選択する選択手段を更に備え、
前記変更手段は、前記代替部位リストに基づいて、前記選択された検査情報の撮影部位情報を、前記撮影部位情報に対応付けられている代替部位情報に変更することを特徴とする請求項７乃至９のいずれか１項に記載の放射線撮影システム。
【請求項１１】
前記選択手段により複数の検査情報が選択された場合、前記変更手段は、前記複数の検査情報の撮影部位情報を代替部位情報により一括変更することを特徴とする請求項１０に記載の放射線撮影システム。
【請求項１２】
前記生成手段は、検査情報を結合する操作入力に基づいて、前記選択された複数の検査情報を、一つの検査情報として結合することを特徴とする請求項１０に記載の放射線撮影システム。
【請求項１３】
前記制御装置は、
前記検査情報の撮影部位情報に基づく画像処理を、前記検査情報に対応付けられている撮影画像に対して実行する画像処理手段と、
前記画像処理の結果を表示装置に表示させる表示制御手段と、を更に備えることを特徴とする請求項２乃至１２のいずれか１項に記載の放射線撮影システム。
【請求項１４】
前記制御装置は、
予め設定された暫定部位情報を前記撮影部位情報として有する検査情報を検査未完了の検査情報として記憶する記憶手段と、
前記記憶手段の変更履歴に基づいて、前記暫定部位情報が変更されたか否かを判定する判定手段と、を更に備え
前記表示制御手段は、前記判定の結果に基づいて前記暫定部位情報が変更されていない場合、前記暫定部位情報が変更されていないことを示す通知を表示するように前記表示装置の表示制御を行うことを特徴とする請求項１３に記載の放射線撮影システム。
【請求項１５】
前記表示制御手段は、前記暫定部位情報が変更されていない検査情報について、前記検査情報の表示色を変えて表示するように前記表示装置の表示制御を行うことを特徴とする請求項１４に記載の放射線撮影システム。
【請求項１６】
前記表示制御手段は、暫定部位情報が変更されていない検査情報に対して、暫定部位情報が変更されていないことを通知するための通知情報を検査情報と組み合せて表示するように前記表示装置の表示制御を行うことを特徴とする請求項１４に記載の放射線撮影システム。
【請求項１７】
前記判定の結果に基づいて、前記検査未完了の暫定部位情報の全てが変更されている場合、前記生成手段は、前記検査情報の生成処理を完了することを特徴とする請求項１４に記載の放射線撮影システム。
【請求項１８】
前記撮影装置は、
前記撮影画像に撮影情報を付与する付与手段を更に備え、
前記生成手段は、前記撮影条件として、患者を特定するための暫定患者情報を前記撮影情報の情報に基づいて生成することを特徴とする請求項２乃至１７のいずれか１項に記載の放射線撮影システム。
【請求項１９】
前記撮影情報には、前記撮影画像を特定するための画像識別情報および前記撮影画像の撮影日時を示す情報が含まれることを特徴とする請求項１８に記載の放射線撮影システム。
【請求項２０】
前記生成手段は、
前記撮影画像の撮影日時を示す情報とグループ分けの基準となるグループ化時間との比較結果に基づいて、前記検査情報をグループに分けるグループ識別情報と、グループ内における撮影順序を特定するためのグループ内識別情報とを生成し、
前記グループ識別情報と前記グループ内識別情報との組み合わせに基づいて、前記暫定患者情報を生成することを特徴とする請求項１９に記載の放射線撮影システム。
【請求項２１】
前記生成手段は、前記記憶手段に記憶されている複数の撮影の履歴情報から撮影頻度が最も高い部位を抽出し、前記撮影頻度が最も高い部位に基づいて、前記撮影部位情報を一律に設定することを特徴とする請求項７に記載の放射線撮影システム。
【請求項２２】
予め撮影部位が前記生成手段に設定されている場合、前記生成手段は、前記設定されている撮影部位に基づいて、前記撮影部位情報を一律に設定することを特徴とする請求項２１に記載の放射線撮影システム。
【請求項２３】
前記生成手段は、前記撮影部位が前記生成手段に予め設定されている場合、前記撮影頻度が最も高い部位に優先して、前記予め設定されている撮影部位に基づいて前記撮影部位情報を一律に設定することを特徴とする請求項２２に記載の放射線撮影システム。
【請求項２４】
前記生成手段は、前記撮影部位が前記生成手段に予め設定されていない場合、前記撮影頻度が最も高い部位に基づいて前記撮影部位情報を一律に設定することを特徴とする請求項２３に記載の放射線撮影システム。
【請求項２５】
照射された放射線を検出し、蓄積された電気信号に基づいて撮影画像を生成する撮影手段と、前記撮影画像を記憶する記憶手段と、を有する撮影装置と通信可能な制御装置であって、
前記撮影画像ごとに対応付ける検査情報を生成する生成手段を
を備えることを特徴とする制御装置。
【請求項２６】
照射された放射線を検出し、蓄積された電気信号に基づいて撮影画像を生成する撮影工程と前記撮影画像を記憶する記憶工程とを有する放射線撮影方法であって、
前記撮影画像ごとに検査情報を生成する工程を有することを特徴とする放射線撮影方法。
【請求項２７】
請求項２５に記載の制御装置の生成手段としてコンピュータを機能させるためのプログラム。
【発明の詳細な説明】
【技術分野】
【０００１】
本発明は、放射線撮影システム、制御装置、放射線撮影方法、およびプログラムに関するものである。
【背景技術】
【０００２】
近年、放射線信号をデジタル画像に変換して出力する撮影装置（フラットパネルディテクタ：ＦＰＤ)を用いた放射線撮影システムが普及してきている。例えば、特許文献1には、記憶部を備える撮影装置の構成が開示されている。この構成の撮影装置では、撮影画像を撮影装置の記憶部に撮りためることができる。そのため、すべての撮影が完了してから制御装置が設置されている場所に戻り、撮影装置の記憶部から撮影画像を取り込むという運用形態が可能となる。
【先行技術文献】
【特許文献】
【０００３】
【特許文献１】特許第５４０１９８６号公報
【発明の概要】
【発明が解決しようとする課題】
【０００４】
しかしながら、特許文献１で開示されるような、撮影時に制御装置を用いない運用形態では、撮影画像と撮影条件を含む検査情報とを撮影時に対応付けることができない。例えば、検査情報のうち撮影部位を示す情報は画像処理を決定する要素であるため、制御装置に撮影画像を取り込む際には、撮影画像と検査情報の対応付け作業が必要となる。このため、撮影画像ごとに検査情報を対応付ける必要があり、撮影画像が多くなると対応付け作業に膨大な時間を要することになり、ユーザーの負担が増大することになる。
【０００５】
本発明は、上記の課題に鑑みてなされたものであり、制御装置に撮影画像を取り込む際に、撮影画像ごとに対応付ける検査情報を生成することが可能な放射線撮影技術を提供することを目的とする。
【課題を解決するための手段】
【０００６】
本発明の一態様による放射線撮影システムは、照射された放射線を検出し、蓄積された電気信号に基づいて撮影画像を生成する撮影手段と、前記撮影画像を記憶する記憶手段とを有する撮影装置と、前記撮影装置と通信可能な制御装置とを有する放射線撮影システムであって、前記制御装置は、前記撮影画像ごとに対応付ける検査情報を生成する生成手段を備えることを特徴とする。
【発明の効果】
【０００７】
本発明によれば、制御装置に撮影画像を取り込む際に、撮影画像ごとに対応付ける検査情報を生成することが可能になる。
【０００８】
例えば、撮影時に制御装置を用いない運用形態において、制御装置に撮影画像を取り込む際に、ユーザーによる撮影画像と検査情報との対応付け作業が不要になり、ユーザーの作業負担が軽減されるとともに、画像取り込みの作業時間の短縮化が可能になる。
【図面の簡単な説明】
【０００９】
【図１】第１実施形態に係る放射線撮影システムの構成例を示す図。
【図２】第１実施形態に係る検査リストの一例を示す図。
【図３】第２実施形態に係る放射線撮影システムの構成例を示す図。
【図４】第２実施形態に係る代替部位リストの一例を示す図
【図５】第２実施形態に係る表示装置の表示画面の一例を示す図。
【図６】第３実施形態に係る検査リスト画面の一例を示す図。
【図７】第４実施形態に係る放射線撮影システムの処理の流れを説明する図。
【図８】第５実施形態に係る放射線撮影システムの構成例を示す図。
【図９】第５実施形態に係る検査リストの一例を示す図。
【図１０】第６実施形態に係る検査リストの一例を示す図。
【図１１】第６実施形態に係る放射線撮影システムの処理の流れを説明する図。
【図１２】第７実施形態に係る検査リスト画面の一例を示す図。
【発明を実施するための形態】
【００１０】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。本明細書において、放射線は、放射線に限らず、例えば、電磁波やα線、β線、γ線などであってもよい。
【００１１】
（第１実施形態）
図１は第１実施形態に係る放射線撮影システムの構成例を示す図である。放射線撮影システムは、放射線発生装置１０２から照射された放射線を検出し、蓄積された電気信号に基づいて撮影画像を生成する撮影部１０１ａと、撮影画像を記憶する記憶部１０１ｂと、外部装置と通信する通信部１０１ｃとを有する撮影装置１０１を備える。また、放射線撮影システムは、外部装置と通信する通信部１０３ａを介して撮影装置１０１と通信可能な制御装置１０３を備える。制御装置１０３は、撮影装置１０１から受信した撮影画像ごとに対応付ける検査情報を生成する生成部（検査情報生成部１０３ｂ）と、検査情報生成部１０３ｂにより生成された検査情報および受信した撮影画像を記憶する検査データベース１０３ｃ（検査記憶部）とを備える。
【００１２】
図１に示す放射線撮影システムにおいて、放射線発生装置１０２は放射線を発生させる。撮影装置（ＦＰＤ）１０１は、照射された放射線を検出し、蓄積された電気信号に基づいて撮影画像を生成する撮影部１０１ａ、撮影画像を記憶する記憶部１０１ｂおよび通信部１０１ｃを有する。撮影部１０１ａは、放射線を検出する画素アレイを有し、放射線発生装置１０２から発生した放射線を検出する。放射線を検出する画素アレイの構成において、例えば、放射線照射の有無を検出するための放射線照射検出用の画素を有している。画素アレイにより構成される撮影部１０１ａは、照射された放射線の検知に基づいて、放射線画像の取得を開始する。撮影部１０１ａは、放射線発生装置１０２から放射線が照射されると、放射線照射検出用の画素の検出結果に基づいて、自動的に画像信号（電荷）の蓄積を行って放射線画像（撮影画像）を生成する自動検出モードで動作可能である。放射線撮影システムの構成において、制御装置１０３が設けられていない場合であっても、放射線発生装置１０２から放射線が照射されると、撮影装置（ＦＰＤ）１０１は、自動検出モードで動作して、自動的に画像信号（電荷）の蓄積を行って放射線画像（撮影画像）を生成可能である。これにより、撮影装置（ＦＰＤ）１０１は、放射線発生装置１０２からの放射線の照射と同期した撮影を行うことができる。
【００１３】
尚、撮影装置（ＦＰＤ）１０１には、撮影装置（ＦＰＤ）１０１の内部構成を制御する撮影制御部（不図示）が設けられており、撮影制御部からの指示に従って、撮影部１０１ａの画素アレイを駆動するための駆動信号が供給されると、光電変換素子により変換された画像信号（電荷）が蓄積される。また、撮影制御部からの指示に従って、画素アレイから出力された画像信号（電荷）が読み出される。撮影制御部は、画素アレイから出力された画像信号（電荷）に基づく放射線画像（撮影画像）を記憶部１０１ｂに記憶し、所定のタイミングで、記憶部１０１ｂに記憶されている撮影画像を読み出して制御装置１０３に送信するように送信制御を行うことが可能である。
【００１４】
記憶部１０１ｂは、撮影部１０１ａにより撮影された撮影画像を記憶する。記憶部１０１ｂは、不揮発性記憶部であり、読み書きが可能に構成されている。例えば、ＳＤカードやフラッシュメモリのように撮影装置１０１に対して着脱可能に構成することが可能である。通信部１０１ｃは、記憶部１０１ｂに記憶された撮影画像を制御装置１０３に送信する。撮影装置１０１は、撮影画像を、通信部１０１ｃを介して撮影毎に制御装置１０３に送信したり、撮影画像を記憶部１０１ｂに蓄積し、まとめて制御装置１０３に送信することが可能である。
【００１５】
制御装置１０３は、通信部１０３ａ、検査情報生成部１０３ｂおよび検査データベース１０３ｃ（検査ＤＢ）を有する。通信部１０３ａは、撮影装置（ＦＰＤ）１０１の通信部１０１ｃと無線通信により通信可能であり、通信部１０１ｃを介して、撮影装置（ＦＰＤ）１０１から送られてくる撮影画像を受信する。検査情報生成部１０３ｂは撮影装置から受信した撮影画像ごとに対応付ける検査情報を生成する。具体的には、検査情報生成部１０３ｂは患者情報および撮影部位情報を含む検査情報を自動生成する。検査データベース１０３ｃは検査情報生成部１０３ｂにより生成された検査情報および受信した撮影画像を記憶する。
【００１６】
撮影装置（ＦＰＤ）１０１の撮影部１０１ａが放射線を検出可能な状態で、放射線発生装置１０２から放射線の照射が行われると、撮影部１０１ａは放射線を検出する。そして、撮影部１０１ａは放射線に基づいて撮影画像を生成し、記憶部１０１ｂは撮影画像を記憶する。この一連の撮影処理は複数回実施できる。また、このとき、制御装置１０３は撮影装置（ＦＰＤ）１０１の近傍に設置されている必要はなく、通信部１０３ａによる通信も行われていなくてよい。
【００１７】
撮影画像の取り込みを実施する際には、撮影装置（ＦＰＤ）１０１と制御装置１０３との間で通信を行う。撮影装置（ＦＰＤ）１０１は記憶部１０１ｂより撮影画像を取得し、通信部１０１ｃより送信する。記憶部１０１ｂから取得する撮影画像は記憶部１０１ａに記憶されているすべての画像でも良いし、記憶部１０１ａに記憶されている複数の撮影画像の中から一部の画像の選択に基づいて撮影画像を取得することも可能である。例えば、制御装置１０３から通信部１０３ａを介した通信により、記憶部１０１ａに記憶されている複数の撮影画像の中から取得する撮影画像を選択することも可能である。制御装置１０３は、撮影装置（ＦＰＤ）１０１から通信部１０３ａを介して撮影画像を受信すると、制御装置１０３は、検査情報生成部１０３ｂが自動的に生成した患者情報および撮影部位情報を含む検査情報と、撮影画像とを対応付けて、検査データベース１０３ｃ（検査ＤＢ）に記憶する。
【００１８】
次に、検査情報生成部１０３ｂで生成される具体的な検査情報の例を説明する。図２は撮影画像の取り込み完了後に検査データベース１０３ｃに記憶される形態である。検査データベース１０３ｃに記憶されている検査リスト２０１は、項目として、検査情報を特定するための検査識別情報２０２（検査ＩＤ）、患者情報の一部であり患者を特定するための患者識別情報２０３（患者ＩＤ）、撮影画像の画像処理の決定に関わる撮影部位情報２０４を有する。
【００１９】
制御装置１０３は、通信部１０３ａを介して、撮影画像を取得すると、取得した撮影画像を検査情報生成部１０３ｂに入力するように通信部１０３ａを制御する。検査情報生成部１０３ｂは撮影画像を受け取ると、例えば、撮影画像ごとに検査識別情報２０２（検査ＩＤ）を付与して、検査データベース１０３ｃの検査リスト２０１に記憶する。これにより、検査データベース１０３ｃの検査リスト２０１には、検査識別情報２０２（検査ＩＤ）が付与された全ての撮影画像が独立した検査情報として記憶される。検査リスト２０１には、検査ＩＤが付与された撮影画像および患者情報である患者識別情報２０３（患者ＩＤ）および撮影部位情報２０４がそれぞれ対応付けられた検査情報として記憶される。
【００２０】
図２の例では、患者情報として患者識別情報２０３（患者ＩＤ）が検査情報に対応付けられているが、それ以外にも患者名や性別、年齢などの個人を特定する情報が含まれてもよい。また、図２の例では、患者識別情報２０３（患者ＩＤ）が全て別の患者になっているが、同一の患者について異なる部位を撮影した場合が含まれてもよい。この場合、患者識別情報２０３（患者ＩＤ）が同一であるが検査識別情報２０２（検査ＩＤ）が異なる複数の撮影画像や撮影部位情報２０４が検査情報に対応付けられる。
【００２１】
撮影部位情報２０４は、例えば、制御装置１０３の検査情報生成部１０３ｂにより一律で自動付与される。検査情報生成部１０３ｂは、検査情報に含まれる撮影条件として、撮影部位を特定するための撮影部位情報を、撮影画像ごとに対応付ける検査情報を生成する。また、検査情報生成部１０３ｂは、検査情報に含まれる撮影条件として、患者を特定するための患者識別情報を撮影画像ごとに対応付ける検査情報を生成することも可能である。
【００２２】
検査情報生成部１０３ｂは、例えば、予め設定された暫定部位を撮影部位情報として、検査情報を生成する。また、検査情報生成部１０３ｂは、予め設定された特定の部位を撮影部位情報として、検査情報を生成する。あるいは、検査情報生成部１０３ｂは、撮影頻度に基づいて予め設定された部位を撮影部位情報として、検査情報を生成する。検査情報生成部１０３ｂは、撮影部位情報を一律の情報として検査情報を生成する。図２では、撮影部位情報２０４には一律に「Unknown」という暫定部位が付与されているが、ユーザーによって予め設定された特定の部位であってもよい。予め撮影部位が検査情報生成部１０３ｂに設定されている場合、検査情報生成部１０３ｂは、設定されている撮影部位に基づいて、撮影部位情報２０４を一律に設定することが可能である。例えば、ユーザーは検査情報生成部１０３ｂに対して「Chest AP」を撮影部位として予め設定していれば、撮影部位情報２０４には一律に「Chest AP」が付与される。
【００２３】
また、検査情報生成部１０３ｂは、記憶部に記憶されている複数の撮影の履歴情報から撮影頻度が最も高い部位を抽出し、撮影頻度が最も高い部位に基づいて、撮影部位情報２０４を一律に設定することが可能である。具体的には、検査情報生成部１０３ｂは、検査データベース１０３ｃ等の記憶部に記憶されている複数の撮影の履歴情報から撮影頻度が最も高い部位を抽出することができる。そのため、検査情報生成部１０３ｂは、これまでの撮影において最も付与されている部位（撮影頻度が最も高い部位）が撮影部位情報２０４として自動的に選択されるように設定することも可能である。例えば、これまでの撮影において「Abdomen AP」の撮影頻度が最も高い場合、検査情報生成部１０３ｂは、「Abdomen AP」が撮影部位情報２０４として自動的に選択されるように設定する。撮影部位情報２０４には一律に「Abdomen AP」が付与される。
【００２４】
ここで、検査情報生成部１０３ｂは、ユーザーによって撮影部位が検査情報生成部１０３ｂに予め設定されている場合、撮影頻度が最も高い部位に優先して、予め設定されている撮影部位に基づいて撮影部位情報２０４を一律に設定することが可能である。すなわち、ユーザーが検査情報生成部１０３ｂに対して撮影部位を予め設定していれば、撮影部位情報２０４には予め設定した撮影部位が一律に付与される。
【００２５】
一方、検査情報生成部１０３ｂは、ユーザーによって撮影部位が検査情報生成部１０３ｂに予め設定されていない場合、撮影頻度が最も高い部位に基づいて撮影部位情報を一律に設定することが可能である。すなわち、ユーザーが検査情報生成部１０３ｂに対して撮影部位を予め設定していなければ、検査情報生成部１０３ｂは撮影頻度が最も高い部位を選択する。よって、撮影部位情報２０４には撮影頻度が最も高い部位が一律に付与される。つまり、検査情報生成部１０３ｂは、ユーザーが設定した撮影部位を優先して撮影部位情報２０４の設定を行うことができる。
【００２６】
これにより、撮影装置（ＦＰＤ）１０１から制御装置１０３に撮影画像を取り込む際に、ユーザーは検査情報を対応付ける作業を行うことなく、撮影画像に検査情報を付与することが可能になる。
【００２７】
（第２実施形態）
第１実施形態では、取得した撮影画像に対し、システムで一律に撮影部位情報２０４を自動的に付与する例を示したが、付与した撮影部位情報２０４が一部の検査において適切でなかった場合には、任意の撮影部位情報２０４に簡易に変更する運用形態も考えられる。図３は撮影部位情報２０４を変更可能な第２実施形態に係る放射線撮影システムの構成例を示す図である。本実施形態に係る放射線撮影システムにおいて、制御装置１０３は、図１で説明した構成の他に、画像処理部３０２ａ、表示制御部３０２ｂおよび代替部位変更部３０３を有する。更に、放射線撮影システムは、表示制御部３０２ｂと接続する表示装置３０１を有する。画像処理部３０２ａは、検査情報の撮影部位情報に基づく画像処理を、検査情報に対応付けられている撮影画像に対して実行する。表示制御部３０２ｂは、画像処理の結果を表示装置３０１に表示させる。
【００２８】
撮影画像は検査情報に含まれる撮影部位情報２０４と対応付けられたことにより画像処理し、画像処理の結果を表示することが可能となる。画像処理部３０２ａは、検査データベース１０３ｃに記憶されている検査情報群より任意の検査情報を選択し、選択した検査情報の撮影部位情報２０４に基づく画像処理を、選択した検査情報に対応付けられている撮影画像に対して実行する。
【００２９】
この時、検査データベース１０３ｃから選択される検査情報は1つでも複数でもよい。複数の検査情報が選択された場合、表示制御部３０２ｂは、各検査情報に対応する撮影画像の画像処理の結果を表示装置３０１の表示領域に並べて表示させる。ユーザーは、表示された画像を閲覧し、適切な部位選択が行われていないと判断された場合、ユーザーからの操作入力に基づいて、代替部位変更部３０３（変更部）は撮影部位情報２０４を変更することが可能である。代替部位変更部３０３（変更部）は、代替部位リストに基づいて、指定された撮影部位情報を代替部位情報に変更する。
【００３０】
次に、代替部位変更部３０３の代替部位管理方法についての一例を示す。検査データベース１０３ｃ（記憶部）は、撮影部位情報ごとに代替部位情報を対応付ける代替部位リストを記憶する。図４は、本実施形態において検査データベース１０３ｃに記憶されている代替部位リスト４０１の一例を示す図である。代替部位リスト４０１には、撮影部位情報２０４に対応付けられた代替部位情報４０２が保持されている。変更対象の撮影部位情報２０４が指定された場合、代替部位変更部３０３は、代替部位リスト４０１に基づいて、変更対象の撮影部位情報２０４を、指定された撮影部位情報２０４に対応付けられている代替部位情報４０２に変更する。図４の代替部位リスト４０１の例において、例えば、変更対象の撮影部位情報２０４として、「Chest AP」が指定（選択）された場合、「Chest AP」に対応付けられている代替部位情報４０２として、代替部位変更部３０３は、「Abdomen AP」を取得し、取得した代替部位情報４０２（「Abdomen AP」）に基づいて、撮影部位情報２０４を変更する。
【００３１】
次に、表示制御部３０２ｂによる表示装置３０１の表示制御の一例を説明する。撮影部位情報２０４が代替部位変更部３０３により変更される際、表示制御部３０２ｂは表示装置３０１の表示画面に表示されるＧＵＩの表示制御を行う。図５は表示装置３０１に表示された表示画面の一例を示す図である。図５において、検査アイコン５０１は検査情報における撮影部位情報２０４を示しており、代替部位変更ボタン５０２は、撮影部位情報２０４の変更指示を入力し、複数の代替部位情報のうちから一つの代替部位情報を指定する指定部である。代替部位変更部３０３（変更部）は、指定された代替部位情報に基づいて、撮影部位情報を変更することが可能である。
【００３２】
表示領域５０３には、例えば、画像処理済の撮影画像が表示される。表示制御部３０２ｂは、表示装置３０１の表示領域５０３に画像処理済の撮影画像を表示させる。表示領域５０３に表示された撮影画像に基づいて、適切な部位選択が行われていないとユーザーが判断した場合、ユーザー操作により代替部位変更ボタン５０２が押下されると、表示制御部３０２ｂは、検査アイコン５０１に表示されている撮影部位情報２０４の表示を代替部位情報の表示に変更するように表示制御を行う。画像処理部３０２ａは、変更された代替部位情報に基づく画像処理を、検査情報に対応付けられている撮影画像に対して実行する。そして、表示制御部３０２ｂは、画像処理の結果を表示装置３０１に表示させる。
【００３３】
例えば、制御装置１０３が、通信部１０３ａを介して、撮影画像を取得した際に、自動付与される撮影部位情報２０４に対しては、放射線撮影システムの撮影のうち一番撮影頻度の高い撮影部位に対応した情報を設定し、代替部位リスト４０１において、代替部位情報４０２に対しては、放射線撮影システムの撮影のうち２番目に撮影頻度の高い撮影部位に対応した情報を設定することが可能である。このように撮影頻度の高い順に設定された変更候補に基づいて撮影部位情報を代替部位情報に変更することができるので、任意に設定された変更候補の場合に比べて、代替部位変更ボタン５０２に対する変更指示の入力操作回数を低減しつつ、各検査情報において適切な撮影部位情報を設定することが可能になる。
【００３４】
尚、図４に示した代替部位リスト４０１において、撮影部位情報２０４に対応付けられている代替部位情報４０２は１つの情報である場合を示したが、本発明の実施形態は、この例に限定されるものではなく、例えば、一つの撮影部位情報２０４に対して、複数の代替部位情報４０２を設定することも可能である。例えば、代替部位リストには、一つの撮影部位情報に対して、撮影頻度に基づく複数の代替部位情報が対応付けられている。具体的には、自動付与される撮影部位情報２０４に対しては、放射線撮影システムの撮影のうち一番撮影頻度の高い撮影部位に対応した情報を設定する。そして、複数の代替部位情報４０２に対しては、２番目に撮影頻度の高い撮影部位に対応した情報、３番目に撮影頻度の高い撮影部位に対応した情報、・・・Ｎ番目（Ｎ：自然数）に撮影頻度の高い撮影部位に対応した情報等を設定することが可能である。代替部位変更ボタン５０２に対して変更指示を順次入力することにより、代替部位変更部３０３は、複数の代替部位情報４０２の中から適切な代替部位情報を選択することがきる。これにより、各検査情報において、より適切な撮影部位情報を設定することが可能になる。
【００３５】
（第３実施形態）
第２実施形態では、１つの検査情報における撮影部位情報２０４を変更するための構成を説明したが、本実施形態では、複数の検査情報において、複数の撮影部位情報２０４を一括で変更する構成を説明する。図６は、本実施形態に係る検査リスト画面の一例を示す図である。検査リスト画面には、検査リスト領域６０１および選択された検査情報を表示する選択検査リスト領域６０３および代替部位変更ボタン６０６が表示される。検査リスト領域６０１のうち網掛けが付された検査情報６０２は変更対象の検査情報を示し、例えば、チェックボックスをマウス等の入力デバイスで選択することにより、変更対象の検査情報として選択可能である。マウス等の入力デバイス（選択部）は、複数の検査情報の中から変更対象の検査情報を操作入力に基づいて選択する選択部として機能する。変更対象の検査情報が選択されると、代替部位変更部３０３（変更部）は、代替部位リストに基づいて、選択された検査情報の撮影部位情報を、撮影部位情報に対応付けられている代替部位情報に変更する。マウス等の入力デバイス（選択部）により複数の検査情報が選択された場合、代替部位変更部３０３（変更部）は、複数の検査情報の撮影部位情報を代替部位情報により一括変更する。
【００３６】
選択検査リスト領域６０３には、検査リスト領域６０１で選択された各検査情報を表す選択検査アイコン６０４、および各検査情報に対応付けられた撮影画像のサムネイル画像６０５、および各検査情報を特定するための検査識別情報６０８（検査ＩＤ）が表示される。また、図６において、代替部位変更ボタン６０６が押下されると、代替部位変更部３０３の動作に基づいて、選択された複数の検査情報６０２（検査ＩＤ１、検査ＩＤ４、検査ＩＤ５）の撮影部位情報は、変更済検査情報６０７で示されるように代替部位情報が変更される。図６において、変更前の撮影部位情報（「Chest AP」）は、変更済検査情報６０７に示すように変更後の撮影部位情報（「Abdomen AP」）に一括変更される。
【００３７】
ユーザーは、検査リスト領域６０１に表示されている複数の検査情報の中から変更対象の検査情報６０２を選択すると、表示制御部３０２ｂは、選択された検査情報６０２を示す選択検査アイコン６０４を選択検査リスト領域６０３に表示するよう表示制御を行う。選択検査アイコン６０４が選択検査リスト領域６０３に表示されると、表示制御部３０２ｂは、選択された検査情報６０２に対応付けられた撮影画像の縮小画像（サムネイル画像６０５）を生成して、生成したサムネイル画像６０５を選択検査アイコン６０４と組み合せて表示するよう表示制御を行う。これによりユーザーは、選択した検査情報に対応付けられた撮影画像がどの部位を撮影したものかを把握することが可能になる。
【００３８】
図６に示す検査リスト画面の例では、サムネイル画像６０５は選択検査アイコン６０４上に配置されているが、対象検査を特定できる別の表示領域に配置されていてもよい。サムネイル画像６０５に表示される部位と検査情報６０２が持つ撮影部位情報２０４とが一致しないものをすべて選択し、例えば、代替部位変更ボタン６０６が押下されると、代替部位変更部３０３は、選択検査リスト領域６０３に表示されている、選択された複数の検査情報の撮影部位情報を一括で代替部位情報に変更する。変更前の撮影部位情報は、変更済検査情報６０７に示すように変更後の撮影部位情報に一括変更される。代替部位変更部３０３は、撮影部位情報２０４に対応付けられた代替部位情報４０２が記憶されている代替部位リスト４０１に基づいて、撮影部位情報を代替部位情報に変更することが可能である。代替部位リスト４０１において、撮影頻度に応じて複数の代替部位情報が代替部位リスト４０１に記憶されている場合、代替部位変更ボタン５０２に対して変更指示を順次入力することにより、代替部位変更部３０３は、複数の代替部位情報４０２の中から適切な代替部位情報を選択し、選択した代替部位情報に基づいて、選択された複数の検査情報の撮影部位情報を一括で変更することができる。図６において、検査リスト画面に表示された代替部位変更ボタン６０６の押下に基づいて、代替部位変更部３０３は、撮影部位情報を一括で代替部位情報に変更する構成を説明したが、本発明の実施形態は、この例に限定されるものではない。例えば、代替部位変更部３０３の処理の開始のきっかけをユーザー操作に基づいて提供できる形態であれば、検査リスト画面上の操作でなくてもよい。本実施形態の構成によれば、複数の検査情報において、複数の撮影部位情報を一括で代替部位情報に変更することが可能になる。
【００３９】
（第４実施形態）
本実施形態では、放射線撮影システムにおいて、一律で付与される撮影部位情報２０４が図２に示すように暫定的なものである場合、その撮影部位情報２０４を変更するための処理を説明する。図７は第４実施形態に係る放射線撮影システムの処理の流れを説明する図である。
【００４０】
Ｓ７０１において、撮影画像の取り込みを開始する。Ｓ７０２において、検査情報生成部１０３ｂは、取得した撮影画像に対して、撮影部位情報２０４として暫定部位情報を一律に自動付与する。暫定部位情報が撮影画像に付与されることにより、画像処理部３０２ａは撮影画像に対して画像処理を行うことが可能になる。尚、ここで付与される暫定部位情報は、被検者の撮影部位を示す部位として適切な部位（最適な部位）ではない撮影部位情報２０４を示す。
【００４１】
Ｓ７０３において、検査情報生成部１０３ｂは、暫定部位情報が対応付けられた撮影画像の検査を検査未完了の検査として検査データベース１０３ｃに記憶する。すなわち、検査データベース１０３ｃ（記憶部）は、予め設定された暫定部位情報を撮影部位情報として有する検査情報を検査未完了の検査情報として記憶する。例えば、図２に示すように暫定部位情報として一律に「Unknown」という暫定部位を設定して、検査未完了の検査であることを明示してもよいし、検査未完了の検査であることを明示するための識別情報を検査ＩＤ等と組み合せて検査リスト２０１に記憶してもよい。これにより、検査リスト２０１の参照により、撮影部位情報２０４が適切ではない状態であることをユーザーに知らせることができる。
【００４２】
Ｓ７０４において、検査情報生成部１０３ｂは、ユーザーの操作入力に基づいて、検査未完了の検査を再開する。本ステップは、ユーザーが任意のタイミングで実施できるステップであり、撮影画像を取り込むのと連動して必ずしも一連で実行する必要はない。Ｓ７０５において、検査情報生成部１０３ｂは、ユーザーの操作入力に基づいて、再開した検査の検査情報の修正を行う。例えば、患者名や撮影部位情報が適切でない場合、検査情報生成部１０３ｂは、ユーザーの操作入力に基づいて、検査リスト２０１の検査情報を修正する。検査情報生成部１０３ｂは、検査情報の修正結果を検査データベース１０３ｃ（検査ＤＢ）に記憶する。
【００４３】
Ｓ７０６において、検査情報の修正を終えたユーザーは、例えば、撮影完了ボタン（不図示）を押下して、検査完了を申請する。
【００４４】
Ｓ７０７において、表示制御部３０２ｂは、検査データベース１０３ｃ（検査ＤＢ）に記憶されている修正された検査リストを表示装置３０１に表示させる。ここで、検査情報生成部１０３ｂは、検査データベース１０３ｃ（記憶部）の変更履歴に基づいて、暫定部位情報が変更されたか否かを判定する判定部として機能することが可能である。あるいは、暫定部位情報が変更されたか否かの判定は、表示装置３０１に表示された検査リストをユーザーが確認することにより行うことも可能であり、ユーザーは、表示された検査リストに基づいて、修正した検査情報の暫定部位情報は変更されたか否かを判定する。変更されていた場合（Ｓ７０７−Ｙｅｓ）、Ｓ７０９において、検査完了を承認して処理を完了する。すなわち、判定の結果に基づいて、検査未完了の暫定部位情報の全てが変更されている場合、検査情報生成部１０３ｂは、検査情報の生成処理を完了する。
【００４５】
一方、暫定部位情報が変更されていない場合（Ｓ７０７−Ｎｏ）、Ｓ７０８において、表示制御部３０２ｂは、検査情報における撮影部位情報２０４のデータが暫定部位情報のままであり、変更されていないことをユーザーに通知し、処理をＳ７０５に戻し、ユーザーに検査情報の修正を再度行うように促す。ここで、表示制御部３０２ｂは、検査情報生成部１０３ｂの判定の結果に基づいて暫定部位情報が変更されていない場合、暫定部位情報が変更されていないことを示す通知を表示するように表示装置の表示制御を行う。例えば、表示制御部３０２ｂは、ユーザーへの通知として、暫定部位情報が変更されていない検査情報について、検査情報の表示色を変えて表示するように表示装置３０１の表示制御を行うことが可能である。あるいは、表示制御部３０２ｂは、ユーザーへの通知として、暫定部位情報が変更されていない検査情報に対して、暫定部位情報が変更されていないことを通知するための通知情報を検査情報と組み合せて表示するように表示装置３０１の表示制御を行うことが可能である。通知情報としては、例えば、ユーザーに注意を促す符号やアイコンが含まれる。その他、表示制御部３０２ｂは、暫定部位情報が変更されていないことを通知するための表示制御として、表示の文字サイズを変更したり、表示を点滅表示させてユーザーに通知することが可能である。検査リストに含まれる全ての検査情報について、暫定部位情報が変更されるまでユーザーへの通知は行われる。本実施形態によれば、暫定部位情報が変更されないまま検査完了となることを防止することができる。
【００４６】
（第５実施形態）
第４実施形態では、撮影時に制御装置１０３を用いない運用形態において、暫定的に付与された暫定部位情報を修正して撮影部位情報２０４を付与する方法について説明した。この運用形態では患者情報も決定できないが、検査情報をユーザーが修正する際には、撮影を実施した患者を特定するための暫定患者情報を検査情報に付与しておくことが望ましい。本実施形態では、撮影を実施した患者を特定するための暫定患者情報を付与する構成について説明する。
【００４７】
図８は、第５実施形態に係る放射線撮影システムの構成例を示す図である。放射線撮影システムにおいて、撮影装置（ＦＰＤ）１０１は、撮影画像に撮影情報を付与する画像情報付与部８０１を有する。検査情報生成部１０３ｂは、撮影条件として、患者を特定するための暫定患者情報を撮影情報の情報に基づいて生成する。ここで、撮影情報には、撮影画像を特定するための画像識別情報および撮影画像の撮影日時を示す情報が含まれる。画像情報付与部８０１は、撮影画像に対して、撮影画像を特定するための画像識別情報（画像ＩＤ）および撮影画像の撮影日時の情報を撮影画像に付与する。
【００４８】
撮影装置（ＦＰＤ）１０１が撮影画像を生成し、記憶部１０１ｂに撮影画像を記憶する際に、画像情報付与部８０１は、撮影画像を特定するための画像識別情報（画像ＩＤ）を発行し、撮影日時を記録する。画像情報付与部８０１は、撮影画像と、画像識別情報（画像ＩＤ）および撮影日時とを対応付ける。
【００４９】
通信部１０１ｃは、記憶部１０１ｂに記憶された撮影画像を制御装置１０３に送信する。通信部１０１ｃは画像送信の際に、画像情報付与部８０１より付与された画像識別情報（画像ＩＤ）および撮影日時の情報を撮影画像と共に送信する。
【００５０】
本実施形態において、検査情報生成部１０３ｂは、画像識別情報（画像ＩＤ）に基づく暫定患者情報と、撮影部位情報とを含む検査情報を生成する。検査情報生成部１０３ｂは、撮影部位情報に関し、例えば、これまでに最も付与されている部位（撮影頻度の最も高い部位）を自動的に選択することが可能である。この他、検査情報生成部１０３ｂは、予め設定された暫定部位を撮影部位情報として、検査情報を生成したり、予め設定された特定の部位を撮影部位情報として、検査情報を生成することが可能である。
【００５１】
制御装置１０３は、通信部１０３ａを介して、撮影画像および画像識別情報（画像ＩＤ）および撮影日時の情報を取得すると、取得した情報を検査情報生成部１０３ｂに入力するように通信部１０３ａを制御する。検査情報生成部１０３ｂは撮影画像および画像識別情報（画像ＩＤ）および撮影日時の情報を受け取ると、撮影画像ごとに検査識別情報（検査ＩＤ）を付与する。
【００５２】
また、制御装置１０３が、撮影装置（ＦＰＤ）１０１から送信された撮影画像および画像識別情報（画像ＩＤ）および撮影日時の情報を受信すると、検査情報生成部１０３ｂは、画像識別情報（画像ＩＤ）に基づいて暫定患者情報を生成する。検査データベース１０３ｃは、検査情報生成部１０３ｂにより生成された暫定患者情報および撮影部位情報と、検査識別情報（検査ＩＤ）、撮影日時、および撮影画像とを対応付けて記憶する。
【００５３】
次に、暫定患者情報が付与された検査情報の例を説明する。図９は本実施形態において、制御装置１０３が撮影装置（ＦＰＤ）１０１から撮影画像を取得した後に検査データベース１０３ｃに記憶される検査リスト２０１の一例を示す図である。本実施形態の検査リスト２０１には、検査識別情報（検査ＩＤ）、撮影日時を示す情報９０１、画像ＩＤをもとに生成された暫定患者情報９０２および撮影部位情報が含まれる。更に、本実施形態の検査リスト２０１には、検査識別情報２０２（検査ＩＤ）が付与された全ての撮影画像が独立した検査情報として記憶される。検査データベース１０３ｃの検査リスト２０１には、検査ＩＤが付与された撮影画像、撮影日時を示す情報９０１、暫定患者情報９０２および撮影部位情報がそれぞれ対応付けられた情報として記憶される。
【００５４】
本実施形態では、画像情報付与部８０１は、画像識別情報（画像ＩＤ）として「０１」からカウントアップする情報を撮影画像に付与しており、カウントアップする情報は日付をまたぐとリセットされ、再度「０１」からカウントアップする情報を撮影画像に付与するように構成されている。
【００５５】
検査情報生成部１０３ｂは、画像識別情報（画像ＩＤ）に基づいて暫定患者情報を生成する。例えば、「０１」からカウントアップする画像識別情報（画像ＩＤ）に基づいて、検査情報生成部１０３ｂは、暫定患者情報として、「Patient-01」、「Patient-02」、「Patient-03」等とカウントアップする情報を生成する。
【００５６】
図９の検査リスト２０１において、検査ＩＤ１の検査は、２０１５年１１月１０日１５時３５分に実施されたものであり、暫定患者情報は「Patient-01」である。検査ＩＤ２の暫定患者情報「Patient-02」により特定される患者に対しては、２０１５年１１月１０日１５時４２分に検査が実施されたものである（撮影実施日の２番目に撮影）。また、検査ＩＤ３の暫定患者情報「Patient-03」により特定される患者に対しては、２０１５年１１月１０日１５時４４分に検査が実施されたものである（撮影実施日の３番目に撮影）。撮影実施日が変わり２０１５年１１月１１日になると、画像識別情報（画像ＩＤ）はリセットされる。検査ＩＤ４の暫定患者情報は「Patient-01」として示されるが、前日（２０１５年１１月１０日）に撮影した検査ＩＤ１の患者と同一ではなく、暫定患者情報は、撮影実施日の何番目に撮影した患者であるかを示す撮影順序の情報である。
【００５７】
したがって、ユーザーが撮影実施日における撮影順序と患者情報との対応関係を把握していれば、撮影順序を示す暫定患情報を介して、患者情報と、撮影画像および検査情報の対応付けが可能になる。
【００５８】
画像情報付与部８０１による画像識別情報（画像ＩＤ）の生成方法および検査情報生成部１０３ｂによる暫定患者情報の生成方法は、上記のように画像識別情報（画像ＩＤ）や暫定患者情報を構成する一部の情報を昇順に変更する（カウントアップする）ことによる生成方法に限定されない。例えば、撮影順序を特定可能な情報を付加することにより、画像識別情報（画像ＩＤ）および暫定患者情報を生成することが可能である。また、本実施形態では画像識別情報（画像ＩＤ）に基づいて、患者名に対応する暫定患者情報を生成したが、患者を特定できる情報であれば患者名に限定されない。
【００５９】
本実施形態によれば、制御装置１０３が、撮影装置（ＦＰＤ）１０１から撮影画像を取得する際に、撮影を実施した患者を特定するための暫定患者情報を検査情報に付与することが可能になる。
【００６０】
（第６実施形態）
第５実施形態では、画像識別情報（画像ＩＤ）に基づいて、暫定患者情報９０２を生成したが、本実施形態では、撮影日時を示す情報９０１に基づいて、暫定患者情報９０２を生成する構成について説明する。検査情報生成部１０３ｂは、撮影画像の撮影日時を示す情報とグループ分けの基準となるグループ化時間との比較結果に基づいて、検査情報をグループに分けるグループ識別情報と、グループ内における撮影順序を特定するためのグループ内識別情報とを生成し、グループ識別情報とグループ内識別情報との組み合わせに基づいて、暫定患者情報を生成する。
【００６１】
図１０は、本実施形態において、撮影日時を示す情報９０１に基づいて暫定患者情報９０２を生成した際の検査リスト２０１の一例を示す図である。
【００６２】
検査情報生成部１０３ｂは、所定の時間内（グループ化時間内）に撮影が行われたものを一つのグループとして設定し、グループ内に複数の検査情報が含まれる場合は、撮影順序を特定可能な情報を設定されたグループ名に付加することにより、暫定患者情報９０２を生成する。例えば、グループ化時間を１時間とする。図１０の検査ＩＤ１の撮影は２０１５年１１月１１日９時４２分に行われており、検査ＩＤ２の撮影は、２０１５年１１月１１日９時５０分に行われている。検査ＩＤ１と検査ＩＤ２の撮影間隔はグループ化時間（１時間）以内であるため、検査情報生成部１０３ｂは、検査ＩＤ１および検査ＩＤ２の検査情報に対して同一のグループ識別情報（グループＩＤ）を付与する（図１０では「Ａグループ」）。そして、検査情報生成部１０３ｂは、グループ内の複数の検査情報に対して、撮影順序を特定可能なグループ内識別情報（グループ内ＩＤ）を付与し、グループ識別情報（グループＩＤ）およびグループ内識別情報（グループ内ＩＤ）に基づいて、暫定患者情報９０２（「Ａ−０１」、「Ａ−０２」）を生成する。
【００６３】
図１０において、検査ＩＤ２と検査ＩＤ３との間の撮影時間の間隔はグループ化時間（１時間）を超えているため、検査ＩＤ３の検査情報は、検査ＩＤ１および検査ＩＤ２と同一のＡグループに含まれない。また、図１０において、検査ＩＤ３〜検査ＩＤ７の撮影はグループ化時間（１時間）以内であるため、検査情報生成部１０３ｂは、検査ＩＤ３〜検査ＩＤ７の検査情報に対して同一のグループ識別情報（グループＩＤ）を付与する（図１０では「Ｂグループ」）。そして、検査情報生成部１０３ｂは、グループ内の複数の検査情報に対して、撮影順序を特定可能なグループ内識別情報を付与し、グループ識別情報（グループＩＤ）およびグループ内識別情報（グループ内ＩＤ）に基づいて、暫定患者情報９０２（「Ｂ−０１」〜「Ｂ−０５」）を生成する。
【００６４】
撮影日時の近い検査について、暫定患者情報９０２がグループ化されるため、例えば、ユーザーが患者の病室を回診して撮影を行った場合、１回の回診行為で行った撮影を一つのグループにより管理することが可能になる。例えば、ユーザーが、各回診において、撮影順序と患者情報との対応関係を把握していれば、各回診および撮影順序を示す暫定患情報を介して、患者情報と、撮影画像および検査情報の対応付けが可能になる。
【００６５】
図１１は、第６実施形態に係る放射線撮影システムの処理の流れを説明する図である。Ｓ１１００において、検査情報生成部１０３ｂは、検査が同一グループにグループ化することができるか否かを判定するためのグループ化時間を設定する。図１０および図１１に示す例では、グループ化時間を１時間としているが、この例に限定されるものではなく、検査情報生成部１０３ｂは、グループ化時間を任意に設定することが可能である。
【００６６】
Ｓ１１０１において、検査情報生成部１０３ｂは、検査データベース１０３ｃ（検査ＤＢ）に記憶されている複数の検査情報を、撮影日時を示す情報９０１に基づいて、撮影日時順に並べ替える。そして、Ｓ１１０２において、検査情報生成部１０３ｂは、並べ替えられた検査情報のうち、先頭に配置された検査情報を選択する。Ｓ１１０３において、検査情報生成部１０３ｂは、選択した検査情報があるか否かを判定する。選択した検査情報が無い場合（Ｓ１１０３−Ｎｏ）、処理は終了する。一方、Ｓ１１０３の判定で、選択した検査情報がある場合（Ｓ１１０３−Ｙｅｓ）、処理はステップＳ１１０４に進められる。検査データベース１０３ｃに記憶されている複数の検査情報について、先頭の検査情報から順次処理をしていき、最後の検査情報まで処理したら本処理は終了する。
【００６７】
Ｓ１１０４において、検査情報生成部１０３ｂは、以下の判定を行う。すなわち、検査情報が先頭の検査情報である、または、直前の検査情報の撮影日時との時間差がグループ化時間１１０１より大きいか否かを判定する。判定条件に合致する場合（Ｓ１１０５−Ｙｅｓ）、処理はＳ１１０５に進められる。一方、Ｓ１１０５の判定で、判定条件に合致しない場合（Ｓ１１０５−Ｎｏ）、処理はＳ１１０７に進められる。図１１では、グループ化時間１１０１が１時間であるため、直前に行った検査から１時間以上経過していれば処理はＳ１１０５に進められ、直前に行った検査からの経過時間がグループ化時間１１０１（１時間）以内であれば、処理はＳ１１０７に進められる。
【００６８】
検査情報が先頭の検査情報である場合、あるいは、直前の検査情報の撮影日時との時間差がグループ化時間１１０１（１時間）以上である場合、Ｓ１１０５において、検査情報生成部１０３ｂは、新たなグループ識別情報（グループＩＤ）を生成し、Ｓ１１０６において、検査情報生成部１０３ｂは、グループ内において撮影順序を特定するためのグループ内識別情報（グループ内ＩＤ）を「１」とする。
【００６９】
一方、直前の検査情報の撮影日時との時間差がグループ化時間１１０１（１時間）以内である場合、Ｓ１１０７において、検査情報生成部１０３ｂは、直前の検査情報と同一のグループを示すグループ識別情報を付与する。
【００７０】
そして、Ｓ１１０８において、検査情報生成部１０３ｂは、グループ内において撮影順序を特定するためのグループ内識別情報（グループ内ＩＤ）をインクリメントする。
【００７１】
Ｓ１１０９において、検査情報生成部１０３ｂは、グループ識別情報（グループＩＤ）およびグループ内識別情報（グループ内ＩＤ）を組みあわて暫定患者情報を生成し、検査情報に付与する。
【００７２】
Ｓ１１１０において、検査情報生成部１０３ｂは、次の検査情報を選択し、処理はＳ１１０３に戻される。この処理を全ての検査情報に対して実行することにより、撮影日時の近い検査情報に対して同一のグループ識別情報（グループＩＤ）を付与した暫定患者情報を生成することが可能になる。
【００７３】
本実施形態では、検査情報のうち撮影日時の近いものを同一のグループとし、同一のグループに含まれる検査情報に対して、グループ内識別情報（グループ内ＩＤ）を設定している。すなわち、グループ識別情報（グループＩＤ）およびグループ内識別情報（グループ内ＩＤ）を組みあわて生成される暫定患者情報は異なる患者を暫定的に示すものである。しかしながら、本発明の趣旨は、この例に限定されるものではなく、例えば、同一のグループに含まれる複数の検査情報に関して、直前の検査情報の撮影日時との時間差が閾値時間（例えば、５分）以内ある場合、検査情報生成部１０３ｂは、検査情報は同一の患者に対するものと判定し、同一の患者を特定する暫定患者情報を生成することが可能である。
【００７４】
（第７実施形態）
第６実施形態では、検査情報生成部１０３ｃは、撮影画像ごとに別の検査情報６０２を生成していたが、本実施形態では、同一患者の複数の検査情報を一つの検査情報としてまとめて取り扱う構成を説明する。図１２は、本実施形態に係る検査リスト画面の一例を示す図である。検査リスト画面には、検査リスト領域６０１および選択された検査情報を表示する選択検査リスト領域６０３および代替部位変更ボタン６０６および検査結合ボタン１２０１が表示される。検査リスト領域６０１のうち網掛けが付された検査情報６０２は結合対象の検査情報を示し、例えば、チェックボックスをマウス等の入力デバイスで選択することにより、結合対象の検査情報として選択可能である。
【００７５】
選択検査リスト領域６０３には、検査リスト領域６０１で選択された各検査情報を表す選択検査アイコン６０４、および各検査情報に対応付けられた撮影画像のサムネイル画像６０５、および各検査情報を特定するための検査識別情報６０８（検査ＩＤ）が表示される。また、図１２において、検査結合ボタン１２０１が押下されると、検査情報生成部１０３ｂ（生成部）は、検査情報を結合する操作入力に基づいて、選択された複数の検査情報を、一つの検査情報として結合する。検査情報生成部１０３ｂの動作に基づいて、選択された複数の検査情報６０２（検査ＩＤ１、検査ＩＤ２）は、結合済検査情報１２０２で示されるように一つの検査情報として結合される。
【００７６】
検査情報生成部１０３ｃは、撮影日時を示す情報、患者ＩＤ、患者名を、いずれか一方の情報に基づいて統一する。図１２に示す例では、結合済検査情報１２０２で示されるように、検査リストの先頭に配置されている検査ＩＤ１の検査情報に基づいて、撮影日時を示す情報、患者ＩＤ、患者名は統一されている。具体的には、検査ＩＤ２の撮影日時を示す情報は、２０１５/１１/１１  １０：３５として変更され、患者ＩＤは「２」から「１」に変更され、患者名は「Patient2」から「Patient1」に変更されることにより両者の情報が統一されている。図１２の例では、検査ＩＤ１を基準として、検査ＩＤ２の情報を変更する例を示しているが、この例に限定されず、いずれの情報を基準にするかを任意に選択することが可能である。例えば、検査ＩＤ２を基準として、検査ＩＤ１の情報を変更するように設定することも可能である。
【００７７】
また、撮影部位情報に関して、検査情報生成部１０３ｃは、検査ＩＤ１の検査情報における撮影部位情報（「Abdomen AP」）および検査ＩＤ２の検査情報における撮影部位情報（「Chest AP」）を、組み合せた撮影部位情報を生成する。本実施形態によれば、同一患者の複数の検査情報を一つの検査情報としてまとめることが可能になる。
【００７８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７９】
１０１：ＦＰＤ、１０１ａ：撮影部、１０１ｂ：記憶部、１０１ｃ：通信部、１０３：制御装置、１０３ａ：通信部、１０３ｂ：検査情報生成部、１０３ｃ：検査データベース
【図１】
2017140194.tif 000003
【図２】
2017140194.tif 000004
【図３】
2017140194.tif 000005
【図４】
2017140194.tif 000006
【図５】
2017140194.tif 000007
【図６】
2017140194.tif 000008
【図７】
2017140194.tif 000009
【図８】
2017140194.tif 000010
【図９】
2017140194.tif 000011
【図１０】
2017140194.tif 000012
【図１１】
2017140194.tif 000013
【図１２】
2017140194.tif 000014